(57)【要約】【課題】繊維材料を確実に保持可能であると共に、羊毛フェルト手芸における作品の完成までに要する時間を短縮可能な手芸用具を提供する。【解決手段】第１把持部１と、第１把持部１と対向する状態で設けられた第２把持部２と、第１把持部１の一端部及び第２把持部２の一端部を接続する接続部３と、を備え、第１把持部１及び第２把持部２は、互いに離れる方向、及び、互いに近づく方向に移動可能であると共に、第１把持部１と第２把持部２との間に繊維材料Ｍを挟持可能に構成されており、第１把持部１は、使用者の親指が接当可能な第１接当部１１と、使用者の親指を保護する第１保護部１２と、を有しており、第２把持部２は、使用者の五指のうちの少なくとも人差し指が接当可能な第２接当部と、第２接当部に接当する使用者の指を保護する第２保護部２２と、を有している。【選択図】図４
2020199111.tif 000002
【特許請求の範囲】
【請求項１】
第１把持部と、前記第１把持部と対向する状態で設けられた第２把持部と、前記第１把持部の一端部及び前記第２把持部の一端部を接続する接続部と、を備え、
前記第１把持部及び前記第２把持部は、互いに離れる方向、及び、互いに近づく方向に移動可能であると共に、前記第１把持部と前記第２把持部との間に繊維材料を挟持可能に構成されており、
前記第１把持部は、使用者の親指が接当可能な第１接当部と、使用者の親指を保護する第１保護部と、を有しており、
前記第２把持部は、使用者の五指のうちの少なくとも人差し指が接当可能な第２接当部と、前記第２接当部に接当する使用者の指を保護する第２保護部と、を有している手芸用具。
【請求項２】
前記第１保護部は、前記第１把持部の縁部に位置すると共に、前記第２把持部から離れる方向に曲げられた状態に形成されており、
前記第２保護部は、前記第２把持部の縁部に位置すると共に、前記第１把持部から離れる方向に曲げられた状態に形成されている請求項１に記載の手芸用具。
【請求項３】
前記第１把持部の縁部に、湾曲した輪郭形状を有する第１湾曲部が形成されており、
前記第２把持部の縁部に、前記第１湾曲部に沿う輪郭形状を有する第２湾曲部が形成されており、
前記第１把持部と前記第２把持部とが互いに接当した状態において、前記第１湾曲部と前記第２湾曲部とは互いに隣接する請求項１または２に記載の手芸用具。
【請求項４】
前記第１把持部の縁部に、直線的な輪郭形状を有する第１直線部が形成されており、
前記第２把持部の縁部に、前記第１直線部に沿う輪郭形状を有する第２直線部が形成されており、
前記第１把持部と前記第２把持部とが互いに接当した状態において、前記第１直線部と前記第２直線部とは互いに隣接する請求項１から３の何れか一項に記載の手芸用具。
【請求項５】
前記接続部は、前記第１把持部及び前記第２把持部を互いに離れる方向に付勢する請求項１から４の何れか一項に記載の手芸用具。
【請求項６】
前記第１接当部は、第１接当領域を有すると共に、前記第１接当領域内の何れの位置においても使用者の指の接当を許容するように構成されており、
前記第２接当部は、第２接当領域を有すると共に、前記第２接当領域内の何れの位置においても使用者の指の接当を許容するように構成されている請求項１から５の何れか一項に記載の手芸用具。
【発明の詳細な説明】
【技術分野】
【０００１】
本発明は、羊毛フェルト手芸に用いられる手芸用具に関する。
【背景技術】
【０００２】
特許文献１には、手芸用のニードル（特許文献１では「ニードルパンチャー」）の発明が記載されている。このニードルを、羊毛の塊に繰り返し突き刺すことにより、繊維同士を絡ませることができる。その結果、羊毛をフェルト化することができる。
【先行技術文献】
【特許文献】
【０００３】
【特許文献１】特開２０１４−３１５９３号公報
【発明の概要】
【発明が解決しようとする課題】
【０００４】
特許文献１に記載のニードルは、羊毛フェルト手芸に用いることができる。羊毛フェルト手芸とは、羊毛のわた材料にニードルを繰り返し突き刺すことにより、わた材料を、球形等の任意の３次元形状に成形する手芸である。また、羊毛フェルト手芸においては、羊毛以外の繊維材料が用いられることもある。
【０００５】
ここで、羊毛フェルト手芸においては、羊毛等の繊維材料を保持した状態で、この繊維材料にニードルを繰り返し突き刺す必要がある。
【０００６】
ニードルは、繊維材料を貫通することがあるため、特に、比較的小さなパーツや薄い部分にニードルを繰り返し突き刺す場合は、例えば、繊維材料を保持している手を保護するために、繊維材料を厚紙等を介して挟持する手法が採用されている。
【０００７】
この手法においては、厚紙等に挟持された繊維材料を狙ってニードルを突き刺す必要がある。このとき、厚紙等を保持する手の指と、繊維材料と、は互いに近接している。そのため、厚紙等を保持する手の指に、誤ってニードルを突き刺してしまいがちである。
【０００８】
従って、この手法においては、厚紙等を保持する手の指に誤ってニードルを突き刺してしまうことを回避するべく、比較的ゆっくりとしたペースで、ニードルを繰り返し突き刺す必要がある。これにより、作品の完成までに比較的長い時間を要することとなる。
【０００９】
本発明の目的は、繊維材料を確実に保持可能であると共に、羊毛フェルト手芸における作品の完成までに要する時間を短縮可能な手芸用具を提供することである。
【課題を解決するための手段】
【００１０】
本発明の特徴は、第１把持部と、前記第１把持部と対向する状態で設けられた第２把持部と、前記第１把持部の一端部及び前記第２把持部の一端部を接続する接続部と、を備え、前記第１把持部及び前記第２把持部は、互いに離れる方向、及び、互いに近づく方向に移動可能であると共に、前記第１把持部と前記第２把持部との間に繊維材料を挟持可能に構成されており、前記第１把持部は、使用者の親指が接当可能な第１接当部と、使用者の親指を保護する第１保護部と、を有しており、前記第２把持部は、使用者の五指のうちの少なくとも人差し指が接当可能な第２接当部と、前記第２接当部に接当する使用者の指を保護する第２保護部と、を有していることにある。
【００１１】
本発明であれば、使用者は、第１接当部に親指を接当させると共に、第２接当部に五指のうちの少なくとも人差し指を接当させることにより、第１把持部及び第２把持部を把持することができる。
【００１２】
そして、使用者が、第１把持部及び第２把持部を把持した状態で、第１把持部と第２把持部との間に繊維材料を位置させると共に、第１把持部及び第２把持部を互いに近づけることにより、第１把持部と第２把持部との間に繊維材料が挟持される。
【００１３】
ここで、使用者は、少なくとも親指及び人差し指によって第１把持部と第２把持部とを挟み込むことができるので、繊維材料を安定的に保持しやすい。
【００１４】
また、接続部により、第１把持部の一端部及び第２把持部の一端部が接続されているので、第１把持部と第２把持部との間に繊維材料が挟持されているときの第１把持部と第２把持部との位置関係が一定になりやすい。
【００１５】
従って、本発明であれば、繊維材料を確実に保持可能である。
【００１６】
また、第１把持部と第２把持部との間に挟持された繊維材料を狙ってニードルを突き刺すとき、突き刺す位置がずれた場合であっても、第１保護部及び第２保護部によって、使用者の指は保護される。即ち、誤って指にニードルを突き刺してしまう事態を回避しやすい。これにより、比較的早いペースで、ニードルを繰り返し突き刺すことが可能となる。
【００１７】
従って、本発明であれば、羊毛フェルト手芸における作品の完成までに要する時間を短縮可能である。
【００１８】
即ち、本発明であれば、繊維材料を確実に保持可能であると共に、羊毛フェルト手芸における作品の完成までに要する時間を短縮可能な手芸用具を実現できる。
【００１９】
さらに、本発明において、前記第１保護部は、前記第１把持部の縁部に位置すると共に、前記第２把持部から離れる方向に曲げられた状態に形成されており、前記第２保護部は、前記第２把持部の縁部に位置すると共に、前記第１把持部から離れる方向に曲げられた状態に形成されていると好適である。
【００２０】
この構成によれば、第１保護部及び第２保護部を、比較的簡素な構成により設けることができる。
【００２１】
しかも、この構成によれば、ニードルを突き刺す方向から見て、使用者の各指が、第１保護部及び第２保護部により隠された状態となる。従って、第１保護部及び第２保護部によって使用者の指を確実に保護することが可能となる。
【００２２】
さらに、本発明において、前記第１把持部の縁部に、湾曲した輪郭形状を有する第１湾曲部が形成されており、前記第２把持部の縁部に、前記第１湾曲部に沿う輪郭形状を有する第２湾曲部が形成されており、前記第１把持部と前記第２把持部とが互いに接当した状態において、前記第１湾曲部と前記第２湾曲部とは互いに隣接すると好適である。
【００２３】
この構成によれば、第１湾曲部と第２湾曲部の間に繊維材料が挟持された状態で、繊維材料にニードルを繰り返し突き刺すことにより、繊維材料は、第１湾曲部及び第２湾曲部に沿った形状に成形されることとなる。
【００２４】
従って、この構成によれば、繊維材料を、湾曲した形状に容易に成形することができる。
【００２５】
さらに、本発明において、前記第１把持部の縁部に、直線的な輪郭形状を有する第１直線部が形成されており、前記第２把持部の縁部に、前記第１直線部に沿う輪郭形状を有する第２直線部が形成されており、前記第１把持部と前記第２把持部とが互いに接当した状態において、前記第１直線部と前記第２直線部とは互いに隣接すると好適である。
【００２６】
この構成によれば、第１直線部と第２直線部の間に繊維材料が挟持された状態で、繊維材料にニードルを繰り返し突き刺すことにより、繊維材料は、第１直線部及び第２直線部に沿った形状に成形されることとなる。
【００２７】
従って、この構成によれば、繊維材料を、直線的な形状に容易に成形することができる。
【００２８】
さらに、本発明において、前記接続部は、前記第１把持部及び前記第２把持部を互いに離れる方向に付勢すると好適である。
【００２９】
この構成によれば、接続部の付勢力によって、第１接当部は、使用者の親指に押し付けられる。また、接続部の付勢力によって、第２接当部は、第２接当部に接当している使用者の各指に押し付けられる。
【００３０】
これにより、使用者の手から脱落しにくい手芸用具を実現できる。
【００３１】
さらに、本発明において、前記第１接当部は、第１接当領域を有すると共に、前記第１接当領域内の何れの位置においても使用者の指の接当を許容するように構成されており、前記第２接当部は、第２接当領域を有すると共に、前記第２接当領域内の何れの位置においても使用者の指の接当を許容するように構成されていると好適である。
【００３２】
この構成によれば、使用者は、第１接当部における指の接当位置を、第１接当領域内で任意に変更することができる。また、使用者は、第２接当部における指の接当位置を、第２接当領域内で任意に変更することができる。
【００３３】
これにより、様々な把持の仕方に対応可能な手芸用具を実現できる。
【図面の簡単な説明】
【００３４】
【図１】第１把持部側から見た手芸用具を示す図である。
【図２】第２把持部側から見た手芸用具を示す図である。
【図３】手芸用具の左側面図である。
【図４】手芸用具の斜視図である。
【図５】繊維材料を作業台に押さえ付ける場合を示す図である。
【発明を実施するための形態】
【００３５】
本発明を実施するための形態について、図面に基づき説明する。尚、以下の説明においては、特に断りがない限り、図３に示す矢印Ｆの方向を「前」、矢印Ｂの方向を「後」として、図１及び図２に示す矢印Ｌの方向を「左」、矢印Ｒの方向を「右」とする。また、図１から図３に示す矢印Ｕの方向を「上」、矢印Ｄの方向を「下」とする。
【００３６】
〔手芸用具の全体構成〕
図１及び図２に示すように、手芸用具Ａは、第１把持部１と、第２把持部２と、接続部３と、を備えている。尚、第１把持部１及び第２把持部２は、互いに対称な形状を有している。
【００３７】
図３及び図４に示すように、第１把持部１と第２把持部２とは、前後方向に並んでいると共に、互いに対向している。即ち、手芸用具Ａは、第１把持部１と対向する状態で設けられた第２把持部２を備えている。
【００３８】
また、接続部３は、第１把持部１の下端部と、第２把持部２の下端部と、を接続している。即ち、手芸用具Ａは、第１把持部１の一端部及び第２把持部２の一端部を接続する接続部３を備えている。
【００３９】
このように、手芸用具Ａは、第１把持部１と、第１把持部１と対向する状態で設けられた第２把持部２と、第１把持部１の一端部及び第２把持部２の一端部を接続する接続部３と、を備えている。
【００４０】
また、図３に示すように、手芸用具Ａは、前後方向に開閉可能に構成されている。
【００４１】
詳述すると、第１把持部１及び第２把持部２は、互いに離れる方向、及び、互いに近づく方向に移動可能である。第１把持部１及び第２把持部２が互いに離れる方向に移動することにより、手芸用具Ａは、前後方向に開く。このときの第１把持部１及び第２把持部２は、図３に仮想線で示されている。
【００４２】
また、第１把持部１及び第２把持部２が互いに近づく方向に移動することにより、手芸用具Ａは、前後方向に閉じる。このときの第１把持部１及び第２把持部２は、図３に実線で示されている。
【００４３】
そして、第１把持部１と第２把持部２との間に繊維材料Ｍを位置させた状態で、使用者が、第１把持部１及び第２把持部２を互いに近づく方向に移動させることにより、図４に示すように、第１把持部１と第２把持部２との間に繊維材料Ｍが挟持される。
【００４４】
即ち、第１把持部１及び第２把持部２は、第１把持部１と第２把持部２との間に繊維材料Ｍを挟持可能に構成されている。
【００４５】
尚、本実施形態における繊維材料Ｍは、羊毛である。しかしながら、本発明はこれに限定されず、繊維材料Ｍは、羊毛以外のいかなる繊維であっても良い。
【００４６】
また、本実施形態において、接続部３は、弾性体により構成されている。そして、接続部３は、第１把持部１及び第２把持部２を互いに離れる方向に付勢する。
【００４７】
〔第１接当部及び第１保護部の構成〕
図１、図３、図４に示すように、第１把持部１は、第１接当部１１及び第１保護部１２を有している。第１接当部１１は、第１接当領域１６を有している。
【００４８】
本実施形態において、第１接当領域１６は、第１接当部１１における後面の全体である。
【００４９】
第１接当部１１に、使用者の親指が接当可能である。また、第１接当部１１は、第１接当領域１６内の何れの位置においても使用者の指の接当を許容するように構成されている。
【００５０】
このように、第１接当部１１は、第１接当領域１６を有すると共に、第１接当領域１６内の何れの位置においても使用者の指の接当を許容するように構成されている。
【００５１】
尚、本実施形態において、第１接当領域１６は、使用者の親指の接当面積に比べて、大幅に広く確保されている。これにより、使用者の親指の接当位置の自由度は、比較的高い。
【００５２】
第１保護部１２は、第１把持部１における縁部に位置している。また、第１保護部１２は、第１接当部１１に接当している使用者の親指の左方、上方、右方を覆うように形成されている。そして、第１保護部１２は、第２把持部２から離れる方向に曲げられた状態に形成されている。
【００５３】
このように、第１保護部１２は、第１把持部１の縁部に位置すると共に、第２把持部２から離れる方向に曲げられた状態に形成されている。
【００５４】
そして、第１保護部１２は、ニードルＮから使用者の親指を保護する。
【００５５】
このように、第１把持部１は、使用者の親指が接当可能な第１接当部１１と、使用者の親指を保護する第１保護部１２と、を有している。
【００５６】
〔第２接当部及び第２保護部の構成〕
図２、図３、図４に示すように、第２把持部２は、第２接当部２１及び第２保護部２２を有している。第２接当部２１は、第２接当領域２６を有している。
【００５７】
本実施形態において、第２接当領域２６は、第２接当部２１における前面の全体である。
【００５８】
第２接当部２１に、使用者の五指のうちの少なくとも人差し指が接当可能である。また、第２接当部２１は、第２接当領域２６内の何れの位置においても使用者の指の接当を許容するように構成されている。
【００５９】
このように、第２接当部２１は、第２接当領域２６を有すると共に、第２接当領域２６内の何れの位置においても使用者の指の接当を許容するように構成されている。
【００６０】
尚、本実施形態において、第２接当部２１に、使用者の五指のうち、人差し指と中指と薬指と小指とが接当可能である。
【００６１】
第２保護部２２は、第２把持部２における縁部に位置している。また、第２保護部２２は、第２接当部２１に接当している使用者の各指の左方、上方、右方を覆うように形成されている。そして、第２保護部２２は、第１把持部１から離れる方向に曲げられた状態に形成されている。
【００６２】
このように、第２保護部２２は、第２把持部２の縁部に位置すると共に、第１把持部１から離れる方向に曲げられた状態に形成されている。
【００６３】
そして、第２保護部２２は、ニードルＮから、第２接当部２１に接当している使用者の各指を保護する。
【００６４】
このように、第２把持部２は、使用者の五指のうちの少なくとも人差し指が接当可能な第２接当部２１と、第２接当部２１に接当する使用者の指を保護する第２保護部２２と、を有している。
【００６５】
ただし、使用者が手芸用具Ａを使用する際、第２接当部２１に何れの指を接当させるかについては、使用者が自由に決定することができる。即ち、使用者は、親指以外の四指のうちの一部または全てを任意に選択して、第２接当部２１に接当させても良い。例えば、使用者は、第２接当部２１に、使用者の五指のうちの中指のみを接当させても良い。
【００６６】
また、使用者は、第２接当部２１に親指を接当させても良い。この場合、使用者は、親指以外の四指のうちの一部または全てを任意に選択して、第１接当部１１に接当させても良い。
【００６７】
尚、本実施形態において、手芸用具Ａは、上述の接続部３を含め、全体が弾性体により構成されていると共に、一体形成されている。これにより、使用者の各指が、第１接当部１１及び第２接当部２１になじみやすい。また、第１把持部１及び第２把持部２が、繊維材料Ｍの外形に沿って変形しやすいため、繊維材料Ｍを安定的に保持しやすい。
【００６８】
また、第１保護部１２及び第２保護部２２は、ニードルＮが貫通しにくいように構成されている。
【００６９】
本実施形態において、第１保護部１２及び第２保護部２２は、弾性体により構成されている。そして、第１保護部１２及び第２保護部２２は、ニードルＮが貫通しにくいように、十分な厚みを有している。
【００７０】
しかしながら、本発明はこれに限定されず、第１保護部１２及び第２保護部２２は、ニードルＮが貫通しにくいように、硬質な素材により構成されていても良い。また、第１保護部１２及び第２保護部２２は、第１把持部１及び第２把持部２におけるその他の部分と同一の素材により構成されていても良いし、異なる素材により構成されていても良い。
【００７１】
尚、従来は、図４に示すように繊維材料Ｍが比較的薄くなっている場合、特に、誤って指にニードルＮを突き刺してしまいがちであった。これに対して、本発明に係る手芸用具Ａであれば、繊維材料Ｍが比較的薄くなっている場合であっても、第１保護部１２及び第２保護部２２によって使用者の指は保護されるので、誤って指にニードルＮを突き刺してしまう事態を回避しやすい。
【００７２】
〔第１湾曲部及び第２湾曲部の構成〕
図１及び図４に示すように、第１把持部１の縁部に、湾曲した輪郭形状を有する第１湾曲部１５が形成されている。尚、本実施形態において、第１湾曲部１５は、第１保護部１２における右側部分に位置している。
【００７３】
また、図２及び図４に示すように、第２把持部２の縁部に、湾曲した輪郭形状を有する第２湾曲部２５が形成されている。尚、本実施形態において、第２湾曲部２５は、第２保護部２２における右側部分に位置している。
【００７４】
第２湾曲部２５は、第１湾曲部１５に沿う輪郭形状を有している。即ち、第２把持部２の縁部に、第１湾曲部１５に沿う輪郭形状を有する第２湾曲部２５が形成されている。
【００７５】
そして、第１把持部１と第２把持部２とが互いに接当した状態において、第１湾曲部１５と第２湾曲部２５とは互いに隣接する。
【００７６】
〔第１上側直線部及び第２上側直線部の構成〕
図１、図３、図４に示すように、第１把持部１の縁部に、直線的な輪郭形状を有する第１上側直線部１３（本発明に係る「第１直線部」に相当）が形成されている。尚、本実施形態において、第１上側直線部１３は、第１保護部１２における上側部分に位置している。
【００７７】
また、図２から図４に示すように、第２把持部２の縁部に、直線的な輪郭形状を有する第２上側直線部２３（本発明に係る「第２直線部」に相当）が形成されている。尚、本実施形態において、第２上側直線部２３は、第２保護部２２における上側部分に位置している。
【００７８】
第２上側直線部２３は、第１上側直線部１３に沿う輪郭形状を有している。即ち、第２把持部２の縁部に、第１上側直線部１３に沿う輪郭形状を有する第２上側直線部２３が形成されている。
【００７９】
そして、第１把持部１と第２把持部２とが互いに接当した状態において、第１上側直線部１３と第２上側直線部２３とは互いに隣接する。
【００８０】
〔第１左側直線部及び第２左側直線部の構成〕
図１、図３、図４に示すように、第１把持部１の縁部に、直線的な輪郭形状を有する第１左側直線部１４（本発明に係る「第１直線部」に相当）が形成されている。尚、本実施形態において、第１左側直線部１４は、第１保護部１２における左側部分に位置している。
【００８１】
また、図２から図４に示すように、第２把持部２の縁部に、直線的な輪郭形状を有する第２左側直線部２４（本発明に係る「第２直線部」に相当）が形成されている。尚、本実施形態において、第２左側直線部２４は、第２保護部２２における左側部分に位置している。
【００８２】
第２左側直線部２４は、第１左側直線部１４に沿う輪郭形状を有している。即ち、第２把持部２の縁部に、第１左側直線部１４に沿う輪郭形状を有する第２左側直線部２４が形成されている。
【００８３】
そして、第１把持部１と第２把持部２とが互いに接当した状態において、第１左側直線部１４と第２左側直線部２４とは互いに隣接する。
【００８４】
また、図５に示すように、繊維材料Ｍを作業台の上に載置した状態で、第１左側直線部１４及び第２左側直線部２４によって、繊維材料Ｍを押さえ付けることにより、繊維材料Ｍを安定的に保持することができる。
【００８５】
尚、第１左側直線部１４及び第２左側直線部２４は平坦な面であり、さらに、第１左側直線部１４と第１上側直線部１３との間、及び、第２左側直線部２４と第２上側直線部２３との間に角部が形成されているため、繊維材料Ｍを広く安定的に押さえ付けることができる。
【００８６】
図５に示す状態において、ニードルＮを繊維材料Ｍに繰り返し突き刺すことにより、第１左側直線部１４と第１上側直線部１３との間の角部、及び、第２左側直線部２４と第２上側直線部２３との間の角部を利用して、繊維材料Ｍの端部を直線的な形状に成形することができる。
【００８７】
そして、図５に示す状態では、第１上側直線部１３及び第２上側直線部２３によって、使用者の指が保護される。
【００８８】
尚、第１上側直線部１３及び第２上側直線部２３によって繊維材料Ｍを押さえ付ける場合でも、同様に、繊維材料Ｍの端部を直線的な形状に成形することができる。
【００８９】
この場合、第１上側直線部１３及び第２上側直線部２３は平坦な面であり、さらに、第１上側直線部１３と第１左側直線部１４との間、及び、第２上側直線部２３と第２左側直線部２４との間に角部が形成されているため、繊維材料Ｍを広く安定的に押さえ付けることができる。
【００９０】
そして、この場合、第１左側直線部１４及び第２左側直線部２４によって、使用者の指が保護される。
【００９１】
〔第１傾斜部及び第２傾斜部の構成〕
図３及び図４に示すように、第１把持部１の左端から右端に亘って、第１把持部１の前端部における上端部には、第１傾斜部１７が形成されている。第１傾斜部１７は、第１把持部１と第２把持部２とが互いに接当した状態において、第１把持部１と第２把持部２との合わせ面へ向かって落ち込む方向に傾斜している。
【００９２】
また、第２把持部２の左端から右端に亘って、第２把持部２の後端部における上端部には、第２傾斜部２７が形成されている。第２傾斜部２７は、第１把持部１と第２把持部２とが互いに接当した状態において、第１把持部１と第２把持部２との合わせ面へ向かって落ち込む方向に傾斜している。
【００９３】
この構成により、第１把持部１と第２把持部２との間に繊維材料Ｍが挟持された状態で、使用者がニードルＮを繊維材料Ｍに突き刺す際、ニードルＮが第１把持部１と第２把持部２との間に受け入れられやすくなる。
【００９４】
以上で説明した構成によれば、使用者は、第１接当部１１に親指を接当させると共に、第２接当部２１に五指のうちの少なくとも人差し指を接当させることにより、第１把持部１及び第２把持部２を把持することができる。
【００９５】
そして、使用者が、第１把持部１及び第２把持部２を把持した状態で、第１把持部１と第２把持部２との間に繊維材料Ｍを位置させると共に、第１把持部１及び第２把持部２を互いに近づけることにより、第１把持部１と第２把持部２との間に繊維材料Ｍが挟持される。
【００９６】
ここで、使用者は、少なくとも親指及び人差し指によって第１把持部１と第２把持部２とを挟み込むことができるので、繊維材料Ｍを安定的に保持しやすい。
【００９７】
また、接続部３により、第１把持部１の一端部及び第２把持部２の一端部が接続されているので、第１把持部１と第２把持部２との間に繊維材料Ｍが挟持されているときの第１把持部１と第２把持部２との位置関係が一定になりやすい。
【００９８】
従って、以上で説明した構成であれば、繊維材料Ｍを確実に保持可能である。
【００９９】
また、第１把持部１と第２把持部２との間に挟持された繊維材料Ｍを狙ってニードルＮを突き刺すとき、突き刺す位置がずれた場合であっても、第１保護部１２及び第２保護部２２によって、使用者の指は保護される。即ち、誤って指にニードルＮを突き刺してしまう事態を回避しやすい。これにより、比較的早いペースで、ニードルＮを繰り返し突き刺すことが可能となる。
【０１００】
従って、以上で説明した構成であれば、羊毛フェルト手芸における作品の完成までに要する時間を短縮可能である。
【０１０１】
即ち、以上で説明した構成であれば、繊維材料Ｍを確実に保持可能であると共に、羊毛フェルト手芸における作品の完成までに要する時間を短縮可能な手芸用具Ａを実現できる。
【０１０２】
〔その他の実施形態〕
（１）上記実施形態において、上下、左右、前後の方向については、説明の都合上、定義された方向に過ぎないのであって、上記実施形態に限定されず、適宜変更が可能である。
【０１０３】
（２）第１把持部１において、第２把持部２に対向する面に、滑り止めが設けられていても良い。
【０１０４】
（３）第２把持部２において、第１把持部１に対向する面に、滑り止めが設けられていても良い。
【０１０５】
（４）接続部３は、非弾性体により構成されていても良い。
【０１０６】
（５）第１把持部１の材質と第２把持部２の材質とは、互いに同一であっても良いし、互いに異なっていても良い。例えば、第１把持部１の材質が樹脂である場合、第２把持部２の材質は、樹脂であっても良いし、ゴムや金属や皮革であっても良い。
【０１０７】
（６）第１把持部１の材質と接続部３の材質とは、互いに同一であっても良いし、互いに異なっていても良い。例えば、第１把持部１の材質が樹脂である場合、接続部３の材質は、樹脂であっても良いし、ゴムや金属や皮革であっても良い。
【０１０８】
（７）第２把持部２の材質と接続部３の材質とは、互いに同一であっても良いし、互いに異なっていても良い。例えば、第２把持部２の材質が樹脂である場合、接続部３の材質は、樹脂であっても良いし、ゴムや金属や皮革であっても良い。
【０１０９】
（８）第１接当領域１６は、第１接当部１１における後面のうち、一部であっても良い。
【０１１０】
（９）第２接当領域２６は、第２接当部２１における前面のうち、一部であっても良い。
【０１１１】
（１０）第１接当部１１は、使用者の親指の接当位置を特定の位置に限定するように構成されていても良い。例えば、第１接当部１１に、使用者の親指を固定するための固定具が設けられていても良い。
【０１１２】
（１１）第２接当部２１は、使用者の人差し指を含む各指の接当位置を特定の位置に限定するように構成されていても良い。例えば、第２接当部２１に、使用者の人差し指を含む各指を固定するための固定具が設けられていても良い。
【０１１３】
（１２）接続部３は、第１把持部１及び第２把持部２を互いに離れる方向に付勢しないように構成されていても良い。
【０１１４】
（１３）第１把持部１の縁部に、第１上側直線部１３が形成されていなくても良い。
【０１１５】
（１４）第１把持部１の縁部に、第１左側直線部１４が形成されていなくても良い。
【０１１６】
（１５）第１把持部１の縁部に、第１湾曲部１５が形成されていなくても良い。
【０１１７】
（１６）第２把持部２の縁部に、第２上側直線部２３が形成されていなくても良い。
【０１１８】
（１７）第２把持部２の縁部に、第２左側直線部２４が形成されていなくても良い。
【０１１９】
（１８）第２把持部２の縁部に、第２湾曲部２５が形成されていなくても良い。
【０１２０】
（１９）第１保護部１２は、第１把持部１において、縁部以外の部位に位置していても良い。例えば、第１保護部１２は、第１把持部１において、縁部よりも内側に位置していても良い。
【０１２１】
（２０）第２保護部２２は、第２把持部２において、縁部以外の部位に位置していても良い。例えば、第２保護部２２は、第２把持部２において、縁部よりも内側に位置していても良い。
【０１２２】
（２１）第１把持部１において、第１傾斜部１７は形成されていなくても良い。
【０１２３】
（２２）第２把持部２において、第２傾斜部２７は形成されていなくても良い。
【０１２４】
（２３）第１把持部１及び第２把持部２は、互いに、部分的に対称な形状を有していても良い。例えば、第１把持部１において使用者の親指が接当する部分と、第２把持部２において使用者の人差し指を含む各指が接当する部分と、が互いに対称な形状を有していると共に、第１把持部１及び第２把持部２におけるその他の部分が互いに非対称な形状であっても良い。
【０１２５】
第１把持部１において使用者の親指が接当する部分と、第２把持部２において使用者の人差し指を含む各指が接当する部分と、が互いに対称な形状を有していれば、繊維材料Ｍを挟持する際、それらの部分の間に段差が生じない。そのため、繊維材料ＭにニードルＮを突き刺しやすくなる。
【０１２６】
（２４）第１把持部１及び第２把持部２の輪郭形状は、上記実施形態における輪郭形状に限定されず、いかなる輪郭形状であっても良い。
【０１２７】
（２５）第１接当部１１に、使用者の親指の形状にフィットする凹凸が形成されていても良い。これにより、第１接当部１１に接当している使用者の親指の位置がずれにくくなる。さらに、使用者は、第１接当部１１における適切な位置に親指を接当させやすくなる。
【０１２８】
（２６）第２接当部２１に、使用者の人差し指を含む各指の形状にフィットする凹凸が形成されていても良い。これにより、第２接当部２１に接当している使用者の各指の位置がずれにくくなる。さらに、使用者は、第２接当部２１における適切な位置に人差し指を含む各指を接当させやすくなる。
【０１２９】
（２７）第２接当部２１は、使用者の五指のうちの人差し指のみが接当可能に構成されていても良い。例えば、第２接当部２１の幅が、使用者の人差し指の幅と同等であることにより、第２接当部２１に人差し指のみが接当可能であっても良い。同様に、第２接当部２１は、使用者の五指のうちの人差し指及び中指のみが接当可能に構成されていても良いし、使用者の五指のうちの人差し指、中指、薬指のみが接当可能に構成されていても良い。
【０１３０】
（２８）第１接当部１１の幅が、使用者の親指の幅と同等であっても良いし、使用者の親指の幅よりも大きくても良い。
【産業上の利用可能性】
【０１３１】
本発明は、羊毛フェルト手芸に用いられる手芸用具に利用可能である。
【符号の説明】
【０１３２】
１    第１把持部
２    第２把持部
３    接続部
１１  第１接当部
１２  第１保護部
１３  第１上側直線部（第１直線部）
１４  第１左側直線部（第１直線部）
１５  第１湾曲部
１６  第１接当領域
２１  第２接当部
２２  第２保護部
２３  第２上側直線部（第２直線部）
２４  第２左側直線部（第２直線部）
２５  第２湾曲部
２６  第２接当領域
Ａ    手芸用具
Ｍ    繊維材料
【図１】
2020199111.tif 000003
【図２】
2020199111.tif 000004
【図３】
2020199111.tif 000005
【図４】
2020199111.tif 000006
【図５】
2020199111.tif 000007